(57)【特許請求の範囲】
【請求項１】
原子炉圧力容器に内蔵したチムニ胴によって、冷却材が流れる流路を形成した自然循環式沸騰水型原子炉のチムニであって、
前記チムニ胴内には、前記冷却材の流路をそれぞれ形成する管が上下方向に向けて複数配設され、
前記管は、それぞれの管と管との間に、隙間を介在して配置すると共に、少なくとも一部、または、全部がジルカロイあるいはジルコニウムを含有する合金からなる金属から形成されていることを特徴とする自然循環式沸騰水型原子炉のチムニ。
【請求項２】
原子炉圧力容器に内蔵したチムニ胴によって、冷却材が流れる流路を形成した自然循環式沸騰水型原子炉のチムニであって、
前記チムニ胴内には、前記冷却材の流路をそれぞれ形成する管が上下方向に向けて複数配設され、
前記管は、管と管との間に、隙間を介在して配置すると共に、
前記チムニ胴の流心に近接した部位に配置した流心側の管が、ジルカロイあるいはジルコニウムを含有する合金からなる金属から形成されていることを特徴とする自然循環式沸騰水型原子炉のチムニ。
【請求項３】
前記チムニ胴内に配置された前記管は、ジルコニウム合金からなるジルコニウム合金管と、ステンレス鋼からなるステンレス鋼管とを連設してなることを特徴とする請求項１に記載の自然循環式沸騰水型原子炉のチムニ。
【請求項４】
前記チムニ胴内に配置された複数の前記管は、前記チムニ胴の流心側に配置した流心側管が、ジルコニウム合金からなり、
前記チムニ胴の内周側に配置した内周側管が、ステンレス鋼からなることを特徴とする請求項２に記載の自然循環式沸騰水型原子炉のチムニ。
【請求項５】
前記チムニ胴の流心側に配置した流心側管は、ステンレス鋼管に対して、ジルコニウム合金管の占める割合を多くして配置すると共に、
前記チムニ胴の内周側に近接した部位に配置した内周側管は、前記ジルコニウム合金管に対して、前記ステンレス鋼管の占める割合を多くして配置したことを特徴とする請求項３に記載の自然循環式沸騰水型原子炉のチムニ。
【請求項６】
前記流路は、前記原子炉圧力容器の内壁とチムニ胴の外壁とで形成した胴外流路と、前記チムニ胴の内壁内に形成された胴内流路とからなると共に、
前記胴内流路は、前記管内を冷却材が流れる管内流路と、前記管外を前記冷却材が流れる管外流路とからなることを特徴とする請求項１ないし請求項５のいずれか１項に記載の自然循環式沸騰水型原子炉のチムニ。
【発明の詳細な説明】
【技術分野】
【０００１】
本発明は、自然循環式沸騰水型原子炉の炉心の上に設置されるチムニに関する。
【背景技術】
【０００２】
近年、提案されている自然循環式沸騰水型原子炉では、自然循環の駆動力を確保のために、強制循環式沸騰水型原子炉の炉心の上には無いチムニが設けられている（例えば、特許文献１参照）。
この自然循環式沸騰水型原子炉の炉内構造物では、中性子の照射を受けることと、高温水中で使用されることとによって、材料の硬さやクリープといった機械的特性の変化、および応力腐食割れが発生して、材料が劣化するという問題点がある（例えば、非特許文献１参照）。
【０００３】
そのため、チムニ等の炉内構造物は、機械的特性が、時間経過と共に進行して変化するので、一般に、所定期間が経過毎に、新品に交換されている。
また、炉内構造物における応力腐食割れは、一般に、使用環境の水質条件の悪化と、負荷応力の増加と、材料組織の変化とが重畳したときに発生すると言われている。
【０００４】
これらの腐食割れの対策方法としては、原子炉内の水質条件を緩和するために炉水中に水素ガスを注入する方法と、熱の発生を抑制した溶接方法により応力を低減する方法と、材料組織の悪化を防止するために溶接後に熱処理を施す方法と、が一般に採られている。
【特許文献１】特公平７−２７０５１号公報（第１図、第２図）
【非特許文献１】「新版原子力ハンドブック」、オーム、Ｐ．１７９〜Ｐ．１８４
【発明の開示】
【発明が解決しようとする課題】
【０００５】
しかしながら、前記した自然循環式沸騰水型原子炉のチムニ等の炉内構造物は、機器全体が大きいため、溶接後に熱処理を行うことが困難であるという問題点がある。
また、耐食性金属は、一般的に高価で、かつ硬度が高いため、加工性が悪く、複雑形状の炉内構造物の機器には適用が難しいという問題点がある。
【０００６】
現在、一般に使用されている自然循環式沸騰水型原子炉の炉内構造物において、中性子の照射量の多い部位は、放射性物質が付着することや腐食を防止するために、極力溶接部を削減するように製作されている。このため、例えば、沸騰水型原子炉の燃料集合体を支持する上部格子板は、溶接をせずに、全体を切削加工や形彫加工で形成した一体型のものが使用されている。
【０００７】
しかしながら、このような自然循環式沸騰水型原子炉においては、燃料集合体の上部に設置される格子状のチムニが、数メートルの長さに形成された長尺の構造物からなるため、製作費用がかかるという問題点がある。
そして、チムニは、冷却材によって腐食するので定期的な交換が必要なため、全体が一体型で製作された場合には、チムニ全体を交換しなければならないので、管理コストがかかるという問題点もある。
さらに、耐食性金属を用いてチムニを製作する場合には、費用が嵩むだけでなく、さらに、加工性が悪いため、切削加工や形彫加工が難しいという問題点がある。
【０００８】
そこで、本発明は、単純な形状のチムニを用い、チムニの少なくとも一部、または、全部を高耐食性金属製とすることで、材料の劣化を抑制しつつ、交換する場合も廃棄物量を抑制することができる自然循環式沸騰水型原子炉のチムニを提供することを課題とする。
【課題を解決するための手段】
【０００９】
前記課題を解決するために、本発明に係る自然循環式沸騰水型原子炉のチムニは、原子炉圧力容器に内蔵したチムニ胴によって、冷却材が流れる流路を形成した自然循環式沸騰水型原子炉のチムニであって、前記チムニ胴内には、前記冷却材の流路をそれぞれ形成する管が上下方向に向けて複数配設され、前記管は、それぞれの管と管との間に、隙間を介在して配置すると共に、少なくとも一部、または、全部がジルカロイあるいはジルコニウムを含有する合金からなる金属から形成されていることを特徴とする。
【００１０】
本発明によれば、自然循環式沸騰水型原子炉のチムニは、チムニ胴内において、管と管の間に隙間を介在して配置したことにより、複数の管の内側を冷却材が流れる管内流路と、管と管の隙間を冷却材が流れる管外流路との２種類の流路を形成することができる。
その結果、チムニ胴内の胴内流路を流れる冷却材の流れが整流化される。
【００１１】
また、複数の管は、管と管の間に、隙間を介在して配置されていることにより、管がそれぞれ１本ずつ形成されて配設されているため、必要に応じて適宜に管を取り外して交換したり、移動したりすることができるようになる。
その結果、各管は、平板部材を折り曲げて一辺のみを溶接すれば製作が可能であり、安価に製造することができるようになる。例えば、１本の管が腐食、または、照射損傷した場合には、その１本の管のみを交換することができるので、交換する作業が容易で、短時間で行えるため、材料コストや管理コストや放射性廃棄物量の増大を抑制することができる。
さらに、チムニ胴内に配設された管は、ジルカロイあるいはジルコニウムを含有する合金からなる高耐食性金属によって形成されていることにより、材料の劣化を抑制することができる。
【発明の効果】
【００１２】
本発明に係る自然循環式沸騰水型原子炉のチムニによれば、中性子の照射量の多い部分だけ管を高耐食性金属で製作することで、材料が腐食損傷して劣化することを抑制することができる。また、チムニを交換する場合には、腐食損傷した管のみを交換することが可能であるため、放射性廃棄物発生量を極力抑制することができる。
【発明を実施するための最良の形態】
【００１３】
［第１実施形態］
まず、図１〜図６を参照して、本発明の第１実施形態に係る自然循環式沸騰水型原子炉のチムニを説明する。
図１は、本発明の第１実施形態に係る自然循環式沸騰水型原子炉のチムニの設置状態を示す概略断面図である。
【００１４】
≪自然循環式沸騰水型原子炉の構成≫
まず、図１を参照して自然循環式沸騰水型原子炉１を説明する。
自然循環式沸騰水型原子炉（以下、単に「原子炉」という）１は、再循環ポンプを用いないで自然循環によって、原子炉１内の冷却材（軽水）を駆動させる方式のものである。この原子炉１は、原子炉圧力容器６内に核燃料が装荷された燃料集合体２１を設置し、炉心７で原子炉１内を循環する冷却材（軽水）を沸騰させて、水と蒸気の気液から水を分離する気水分離器１２と通過し、さらに、蒸気を乾燥させる蒸気乾燥器１４を通過した蒸気を使ってタービン２を回転させ、発電機（図示せず）を回転させて発電を行うものである。
【００１５】
なお、原子炉１は、一般に使用されている沸騰水型原子炉（ＢＷＲ）のように、出力調整用の制御棒２４を用いるものの、この原子炉１を強制循環させるための再循環系配管、再循環ポンプ、ジェットポンプが炉内に設置されていない。
その代わり、原子炉１の炉心７の上には、チムニ１１と呼ばれる構造物が設置され、水を自然循環させる仕組みになっている。
【００１６】
図１に示すように、原子炉１は、円筒状の原子炉圧力容器６内に、円筒状の炉心シュラウド９が、同心上の円筒状に設けられている。この炉心シュラウド９には、その外側面と原子炉圧力容器６の内壁面との隙間Ｌ（図２（ａ）、（ｂ）、（ｃ）参照）に、環状空間からなるダウンカマ（以下「胴外流路Ｒ１」という）が形成されている。また、炉心シュラウド９の内部には、多数の燃料集合体２１が収容されている。
【００１７】
炉心７の下部には、炉心支持板２２が配設されている。炉心７の上部には、炉心シュラウド９内に配設された燃料集合体２１と、制御棒２４の横方向の配置を決める上部格子板２３とが配設されている。
炉心シュラウド９と、原子炉１の内壁との間には、胴外流路Ｒ１を下降した冷却材を炉心７の下部の炉心下部プレナム１０に導き入れる下流流路が形成されている。
炉心７の上には、炉心７から出た気液二相流の冷却材を上方に導いて自然循環駆動力を増加させるチムニ１１が設けられている。
【００１８】
≪チムニの構成≫
次に、図１および図２を参照してチムニ１１を説明する。
図２は、本発明の第１実施形態に係る自然循環式沸騰水型原子炉のチムニに内設される管を示す図であり、（ａ）は平面図、（ｂ）は斜視図、（ｃ）は胴内流路を流れる冷却材の説明図である。
【００１９】
図１に示すチムニ１１は、原子炉圧力容器６に内蔵したチムニ胴１１ｄによって、冷却材が流れる流路Ｒを形成する筒状体からなる。このチムニ１１は、例えば、原子炉圧力容器６と同心に配設された円筒状のチムニ胴１１ｄと、このチムニ胴１１ｄの内部に内設された四角形の筒状体からなる複数の管１１ｂと、から主に構成されている。
以下、本第１実施形態では、管１１ｂとして四角管を例に挙げて説明するが、これに限定されるものではなく、例えば、断面が多角形や円形等であっても、管状を形成していれば同様の効果がある。
【００２０】
＜チムニ胴の構成＞
図１に示すチムニ胴１１ｄは、原子炉圧力容器６の内径より小さな内径で形成された円筒状体からなる。このチムニ胴１１ｄは、原子炉圧力容器６の内壁に、所定間隔を介して炉心７の上に配設することにより、冷却材が気水分離器１２から炉心下部プレナム１０側に流れる環状の胴外流路Ｒ１と、冷却材が炉心シュラウド９の内側を上方にシュラウドヘッド１２ａ側に流れる略格子状の胴内流路Ｒ２と、を形成している。
【００２１】
チムニ胴１１ｄ内には、冷却材の上昇流路となる胴内流路Ｒ２をそれぞれ形成する管１１ｂが上下方向に向けて複数配設されている。
チムニ胴１１ｄの上方には、複数の管１１ｂによって個々の格子状の流路Ｒとなった胴内流路Ｒ２から上方に流れる冷却材を、チムニ１１内の上部で合流するようするために、上部プレナム１１ｃが設けられている。
チムニ胴１１ｄの下端は、上部格子板２３に環状に形成された係合部２３ａ（図２（ｂ）参照）に装着されて、胴外流路Ｒ１を下降する冷却材と、炉心７を出た冷却材とが混じり合わないような組み合わせ構造になっている。
【００２２】
＜上部格子板の構成＞
図２（ｂ）に示す上部格子板２３は、チムニ胴１１ｄ（図２（ｃ）参照）の下端部に配設される略円盤状の部材であって、各管１１ｂを所定間隔で直立した状態に保持するための係合部２３ａが、格子状に配置して穿設されている。
係合部２３ａは、例えば、大きさが３０ｃｍ×３０ｃｍの平面視して正方形の貫通孔を切削加工して形成されている。
【００２３】
＜管の配置構成＞
次に、図２（ａ）、（ｂ）、（ｃ）を参照してチムニ胴１１ｄ内に配設される管１１ｂを説明する。
図２（ａ）、（ｂ）に示すように、各管１１ｂは、起動時にチムニ胴１１ｄ内の上向き方向の圧力降下に伴なってフラッシング（沸騰）が生じ、これに起因する冷却材の流動応力によって当該管１１ｂが振動する流動不安定現象等を解消して安定化させるために、胴内流路Ｒ２（図２（ｃ）参照）を水平方向に多数配置して細分化するものである。
【００２４】
この管１１ｂは、図２（ａ）、（ｂ）に示すように、例えば、上部格子板２３に格子状に穿設されてなる係合部２３ａに、隙間Ｌを介在して、互い違いに配設された複数の角管を集合させてなる。言い換えると、管１１ｂは、格子状の係合部２３ａに装着することによって、管１１ｂと管１１ｂの間に、隙間Ｌを介在して互い違いに配置された多数のパイプからなる。
すなわち、各管１１ｂは、前後左右方向（平面方向）に対して１つ置きに配置され、斜め左右方向に連続して千鳥状に配置されて、それぞれの管１１ｂが規則正しく均一に上部方向に向けて垂直に配置されている。
【００２５】
この管１１ｂと上部格子板２３との接続方法は、例えば、スリット差し込み方式、圧入方式、ボルト締結等である。上部格子板２３に設けられた各管１１ｂは、１本１本バラバラに分解して交換できるように、着脱自在に組み付けられている。
なお、管１１ｂと上部格子板２３との接続方法は、溶接手段であってもよく、特に限定されない。
【００２６】
さらに、チムニ胴１１ｄの炉心７に近接した部位に配置した流心側管１１ｈは、高耐食性金属のジルカロイあるいはジルコニウムを含有するジルコニウム合金によって形成されたものを配置する。そして、この流心側管１１ｈの周囲に配置され、チムニ胴１１ｄの内周側に配設された内周側管１１ｉは、ステンレス鋼製のものを配置する。
【００２７】
＜管の作用および効果＞
ここで、前記のように配置された管１１ｂの作用効果を前もって説明する。
このように配設された管１１ｂは、１つ１つが個々の状態に、所定間隔の隙間Ｌを介して配列されていることにより、それぞれの管１１ｂ同士を溶接して連結することが不要となるため、溶接箇所や溶接量を従来と比較して少なくすることができる。
その結果、溶接時の熱等による変形や、残留応力や、圧力変動荷重に対する強度の減少等を抑制することができる。
また、それぞれの管１１ｂと管１１ｂとの間には、隙間Ｌがあるため、流路壁面にかかる圧力変動荷重を減少させて、冷却材の流れをスムーズにすることができる。
【００２８】
チムニ胴１１ｄを流れる冷却材の流速Ｖは、図２（ｃ）に矢印の長さで示すように、中央部が速く、この中央部からチムニ胴１１ｄの内壁１１ｇに近づくに連れて流速Ｖが遅くなっている。
その結果、チムニ胴１１ｄに中心側に配設された流心側管１１ｈを流れる冷却材の流量は、その流速Ｖに比例して多くなるため、内壁１１ｇ側に配置された内周側管１１ｉを流れる冷却材より多量の冷却材が流れて通過することになる。
このため、チムニ胴１１ｄに中心側に配設された流心側管１１ｈは、フラッシングによるボイド（蒸気泡）によって腐食し易く、また、中性子の照射量が高く照射損傷を受け易くなっている。
【００２９】
なお、自然循環式沸騰水型原子炉１では、炉心７での中性子の束が１０１４（個／ｃｍ２/s）で、中心から同心円で中性子束が広がり、炉心上部で１０１０（個／ｃｍ２/s）存在するが、炉心７から離れるに従って中性子束が低下するとされている（伊部英史、沸騰水型原子炉に於ける構造材料の腐食環境に関する研究、大阪大学学位論文、Ｐ２６、１９８４年）。
このようなことからも、中性子束の低下と共に材料劣化の可能性も低下すると考えることができるため、炉心７に近接した部位のみを高耐食性金属で形成した管１１ｂ（流心側管１１ｈ）にすれば、材料劣化や腐食損傷の発生を抑制できることになる。
【００３０】
＜管の材質＞
そこで、本発明の第１実施形態では、図２（ａ）、（ｂ）、（ｃ）に示すように、チムニ胴１１ｄの中央部に配置される流心側管１１ｈは、例えば、ジルカロイあるいはジルコニウムを含有するジルコニウム合金等の高耐食性金属で形成された断面が四角形の筒状体からなる。それ以外の管１１ｂ、すなわち、チムニ胴１１ｄの内壁１１ｇ側に配置される内周側管１１ｉは、ステンレス鋼から形成されている。
ステンレス鋼は、例えば、高温での耐酸化性と、高純水およびアルカリに対する耐蝕性とに優れ、応力腐食割れに強いインコネル６００（商品名）やＡｌｌｏｙ６００（商品名）等の高ニッケル合金からなる。
【００３１】
このように、チムニ１１の管１１ｂは、２種類の材質から形成したものを組み合わせ配置した流心側管１１ｈおよび内周側管１１ｉ内の管内流路Ｒ３と、それぞれの流心側管１１ｈおよび内周側管１１ｉの間の隙間Ｌによって形成された管外流路Ｒ４とで、胴内流路Ｒ２を形成している。
【００３２】
図２（ａ）、（ｂ）に示すように、管１１ｂは、例えば、四角管からなり、格子状に穿設された上部格子板２３の係合部２３ａに、互い違いにそれぞれ差し込んで圧着することにより、前後左右方向に隙間Ｌを介在して等間隔に配設されている。このため、それぞれの管１１ｂは、前後左右方向に隣り合う管１１ｂとの間には、ほぼ管１１ｂの１本分の間隔だけ離れて配置されると共に、左右斜めの方向に隣り合う管１１ｂとの間には、隙間Ｌ分の距離だけ離れて配置されている。そして、チムニ胴１１ｄ内に配置された管１１ｂにおいて、胴内流路Ｒ２の流心部分に配置された流心側管１１ｈは、中性子の照射量が多いため、高耐食性金属のジルコニウム合金によって形成されている。
【００３３】
図１に示すように、チムニ１１の上端は、シュラウドヘッド１２ａによって閉塞されている。そのシュラウドヘッド１２ａには、所定の数の冷却材通過用の孔が設けられ、その孔はスタンドパイプを介して気液二相流から飽和蒸気と飽和水とに分離する気水分離器１２に繋がっている。
気水分離器１２の上部には、蒸気乾燥器１４が設けられ、気水分離器１２を出た飽和蒸気に含まれる湿分を除去されて、タービン２に飽和蒸気が送られるようになっている。
【００３４】
このような原子炉１において、給水入口ノズル１６から供給される冷却材は、気水分離器１２で分離された飽和水と混合し、図１中矢印Ａで示すように、胴外流路Ｒ１を下降して、炉心シュラウド９内に流入し、炉心７によって加熱される。炉心７からの加熱によって冷却材は、飽和状態の気液二相流となり、矢印Ｂで示すように、格子状の管内流路Ｒ３および管外流路Ｒ４からなる胴内流路Ｒ２を通過して、上部プレナム１１ｃ、スタンドパイプを経て、気水分離器１２によって、気相の飽和蒸気と、液相の飽和水に分離される。飽和蒸気は、矢印Ｃで蒸気乾燥器１４から主蒸気配管によってタービン２に導かれ発電に供される。
一方、飽和水は、矢印Ｄで示すように、原子炉圧力容器６内の冷却材に混合され、給水入口ノズル１６から供給される冷却材とさらに混合されて、再び胴外流路Ｒ１を下降して原子炉圧力容器６内を循環する。
【００３５】
＜第１実施形態の作用および効果＞
本発明の第１実施形態における管１１ｂは、このように設けられたことにより、次のような作用および効果を奏する。
（ａ）  管１１ｂは、図２（ｃ）に示すように、管１１ｂ内が空洞であるため、沸騰した水や蒸気が通過することが可能であり、また、管１１ｂをそれぞれ１本ずつ単体で上部格子板２３から取り外すことや交換することも容易にできるようになる。
【００３６】
（ｂ）  流心側管１１ｈは、高耐食性金属としてジルカロイまたはジルコニウムを含む金属を適用することにより、材料劣化の抑制効果が高くなる。その理由は、ジルコニウム合金がステンレス鋼に比べて中性子を吸収し難い特性を有しているため、中性子が照射されたときに、劣化し難いことに起因する。
例えば、参考図書（火力原子力発電必携、改訂第６版、Ｐ２４３）によれば、中性子の吸収特性はホウ素入りステンレス鋼に対して、ジルカロイが１／２０である。
【００３７】
（ｄ）  腐食し易い箇所に配置された流心側管１１ｈは、高耐食性を備えていることにより、中性子による照射損傷の発生や、腐食を抑制することができる。このため、管１１ｂ全体の使用可能な期間が長くなり、耐久性を向上させて管１１ｂ全体の寿命を長くすることができる。
【００３８】
（ｅ）  さらに、比較的高価なジルコニウム合金からなる流心側管１１ｈは、チムニ胴１１ｄ内の中央部分のみに使用して、管１１ｂ全体を複数の種類の管１１ｂを配設したことにより、ジルコニウム合金製の流心側管１１ｈの本数が少ないため、材料費を抑えることができる。
【００３９】
（ｆ）  また、各管１１ｂは、それぞれが１つずつ上部格子板２３に、圧入等によって取り付けられていることにより、管１１ｂの交換時にすべてを交換していた従来のときと比較して、腐食や中性子の照射損傷等によって使用できなくなった管１１ｂのみを交換することが可能となった。このため、管１１ｂに不具合が発生した場合には、取替え作業や、取り外し作業が容易であり、作業時間や管理コストを低減させることもできる。
【００４０】
＜チムニに照射損傷が発生した場合の処理の説明＞
次に、図３〜図６を参照して、チムニ１１の後部等に照射損傷が発生した場合の処理について、従来の管一体型チムニ（図示せず）と比較しながら説明する。
図３は、本発明の第１実施形態に係る自然循環式沸騰水型原子炉のチムニに照射損傷が発生した場合の処理作業の手順を示す工程図である。図４は、本発明の第１実施形態に係る自然循環式沸騰水型原子炉のチムニの移送手順を示す概略図である。
【００４１】
例えば、チムニ１１の下流側の後部等が腐食損傷した場合には、図３に示すように、まず、原子炉１を停止後（ステップＳ１）、図１に示す原子炉圧力容器６を開放し（ステップＳ２）、作業に干渉する気水分離器１２等の炉内機器を取り出す（ステップＳ３）。
次に、燃料を図４に示すクレーン４２ｂによって原子炉１内から取り出し（ステップＳ４）、さらに、使用済みの腐食損傷したチムニ１１をクレーン４２ｂによって原子炉１内から旧チムニを取り出す（ステップＳ５）。
【００４２】
次に、図４に示すように、その原子炉圧力容器６を移動して切断時に使用する仮置き切断用プール４２ａの底に固定して仮置きした後、仮置き切断用プール４２ａ内に水を入れる。そして、仮置き切断用プール４２ａ上に配置された架台のクレーン４２ｂによって腐食損傷したチムニ１１をクレーン４２ｂで吊上げた後、原子炉ウエルを経由して、仮置きする仮置き切断用プール４２ａへ移動させる（ステップＳ６）。
【００４３】
図５は、本発明の第１実施形態に係る自然循環式沸騰水型原子炉のチムニの解体手順を示す概略図である。
続いて、図５に示すように、仮置き切断用プール４２ａの水中内に配置された前記腐食損傷したチムニ１１は、架台に移動自在に設置された上下移動装置４２ｃによって廃棄用の切断装置４２ｄを上下動させることによって廃棄できるような適当な大きさに裁断される（ステップＳ７）。
なお、このときの切断作業は、管１１ｂを３箇所、あるいは、４箇所程度を輪切りにするだけなので、短時間で作業が完了する。
【００４４】
裁断されて解体されたチムニ１１の切断片は、廃棄容器４２ｅに投入された後に、廃棄容器４２ｅを引き上げることによって仮置き切断用プール４２ａ外へ搬出され（ステップＳ８）、別の保管用プール（図示せず）に移送される（ステップＳ９）。
このように、チムニ１１は、腐食損傷した管１１ｂのみを交換するため、低コストで腐食損傷の対策が可能であり、移送作業や切断作業も短時間に実施できる。その結果、付帯設備や放射性廃棄物発生量を極力抑制することができる。
【００４５】
図６は、本発明の第１実施形態に係る自然循環式沸騰水型原子炉のチムニの管の移送手順を示す概略図である。
次に、図６に示すように、原子炉圧力容器６内に新品のチムニ（新品の管１１ｂ）１１をクレーン４２ｂによって設置する（ステップＳ１０）。
【００４６】
この場合、新品のチムニ１１は、従来の一体型チムニと比較して、１本ずつの管１１ｂに細分化されていることにより、軽量化されているため、仮置き切断用プール４２ａへの移動作業や切断解体作業が容易に行えると共に、作業時間を短縮させることができる。
また、仮置き切断用プール４２ａは、水面での放射線量の増加を防止するために、所定の水深を確保しなければならないが、新品のチムニ１１は、１本ずつになっていることにより、体積が少ないので、水の量が少なくて済む。
さらに、管１１ｂが放射化されている場合でも、横方向へ寝かせた状態で設置すれば、水深が浅くても、チムニ１１の交換作業を行うことができるため、水の量が少なくて済む。
【００４７】
使用済みのチムニ１１（図５参照）は、従来の一体型チムニの場合、一部に腐食損傷が発生したときであっても、全てを取り替える必要があったが、本発明のチムニ１１では、各管１１ｂが一本ずつ着脱自在な状態に設置されているため、腐食損傷した管１１ｂのみを単独で取り外して新品のチムニ１１に交換すればよい。
【００４８】
その後、図１に示すように、燃料の再装荷を行い（ステップＳ１１）、気水分離器１２等の炉内機器を復旧させて（ステップＳ１２）、原子炉圧力容器６を閉止させれば（ステップＳ１３）、原子炉１を再起動させることができる状態になる（ステップＳ１４）。
【００４９】
なお、前記仮置き切断用プール４２ａは、水を満たした容器を用いることを例に挙げて説明したが、放射化した使用済みのチムニ１１を遮蔽する密閉容器であってもよく、このようにしても本発明の目的は達成できる。
このような水を用いない密閉容器の場合、例えば、従来の一体型チムニでは、チムニが大型であるため、鉛板等の遮蔽物が多量必要となるが、これに対して、本発明のチムニ１１では、各管１１ｂが完全に一体になっていないので、一本ずつにすれば、体積が小さくなるため、使用する遮蔽物の量が少なくて済む。
さらに、解体されたチムニ１１は、全て廃棄保管プールへ移送され、放射性廃棄物として管理されるが、このときも、交換する管１１ｂの数が少なくて済むため、廃棄保管プールが小さくて済む。
【００５０】
以上のことから、本発明の第１実施形態に係る自然循環式沸騰水型原子炉１のチムニ１１は、従来の一体型チムニと比較して、一部分の腐食損傷や不具合が発生した場合であっても、全部を交換することが不要なため、製作コストの削減、移動作業時間の短縮化、および切断作業時間の短縮化を図ることができる。
【００５１】
また、チムニ１１等の付帯設備は、図５に示す切断装置４２ｄや、仮置き切断用プール４２ａが小型のもので対応できるため、それらの装置および設備の小型化を図ることができる。
さらに、管１１ｂは、それぞれの管１１ｂと管１１ｂの間に、隙間Ｌ（図２（ａ）、（ｂ）、（ｃ）参照）を介在して互い違いに配置すると共に、高耐食性金属から形成したことにより、不溶解性の放射性物質が付着し難く、かつ、剥がれ易いため、管１１ｂの交換作業時に放射線の遮蔽設備を簡素化することができる。
【００５２】
この場合、中性子の照射量の多い部位のみ高耐食性金属製の中空四角管からなる管１１ｂを間欠的に配置したチムニ１１を用いることで解決できる。
また、炉心７（流心）に近接した部分のみ高耐食性金属製の管１１ｂを用いることでも解決できる。
このように、本発明は、管１１ｂを単体で交換できることから、放射性廃棄物量も少量に抑制できる。
【００５３】
［第２実施形態］
次に、図７（ａ）、（ｂ）を参照して、本発明の第２実施形態に係る自然循環式沸騰水型原子炉１のチムニ１１Ａを説明する。
図７は、本発明の第２実施形態に係る自然循環式沸騰水型原子炉のチムニの管を示す図あり、（ａ）は平面図、（ｂ）は斜視図である。
なお、図１および図２に示した第１実施形態に係る自然循環式沸騰水型原子炉１のチムニ１１と同一機能を有する部材には同一符号を付し、重複する説明は省略する。
【００５４】
本第２実施形態に係る自然循環式沸騰水型原子炉１のチムニ１１Ａは、図２（ａ）、（ｂ）、（ｃ）に示した第１実施形態のチムニ胴１１ｄに配置されたそれぞれの管１１ｂを、図７（ａ）、（ｂ）に示すように、ステンレス鋼によって形成されたステンレス鋼管４６Ａ（図７(ｂ)参照）と、ジルコニウム合金によって形成されたジルコニウム合金管４５Ａとを連結してなる管４４Ａを備えたチムニ１１Ａとしたものである。
【００５５】
この場合、各管４４Ａは、例えば、上部格子板２３の係合部２３ａに装着される下側が、ジルコニウム合金管４５Ａからなり、このジルコニウム合金管４５Ａの上側にステンレス鋼管４６Ａが連設されて、連結部分が支持板４７によって格子状に並べた状態に保持されている。この場合、ジルコニウム合金管４５Ａとステンレス鋼管４６Ａとの連結部分の接合手段は、例えば、溶接手段であるが、ジルコニウム合金管４５Ａとステンレス鋼管４６Ａとが連結されれば、圧入手段等であってもよく、特に限定されない。
【００５６】
このように、高耐食性金属からなるジルコニウム合金管４５Ａと、ステンレス鋼管４６Ａとを組み合わせて配置した場合であっても、それぞれの管４４Ａが単体からなるので、取り外すことや交換することが容易に行える。
【００５７】
なお、前記支持板４７は、ジルコニウム合金管４５Ａとステンレス鋼管４６Ａとを溶接手段等によって連結して、各管４４Ａの下端部を上部格子板２３の係合部２３ａに装着する場合には、ジルコニウム合金管４５Ａとステンレス鋼管４６Ａとの連結部分を束ねるように支持するベルト状の部材であってもよい。
【００５８】
［第３実施形態］
次に、図８を参照して、本発明の第３実施形態に係る自然循環式沸騰水型原子炉１のチムニ１１Ｂを説明する。
図８は、本発明の第３実施形態に係る自然循環式沸騰水型原子炉のチムニの管と、水および蒸気の流れを示す説明図である。
を示す説明図である。
なお、図１および図２に示した第１実施形態に係る自然循環式沸騰水型原子炉１のチムニ１１と同一機能を有する部材には同一符号を付し、重複する説明は省略する。
【００５９】
本第３実施形態に係る自然循環式沸騰水型原子炉１のチムニ１１Ｂは、図７に示した第２実施形態の下部だけジルコニウム合金管４５Ａを配設した管４４Ａを、図８に示すように、チムニ胴１１ｄ内の胴内流路Ｒ２を流れる冷却材の流速Ｖに対応した割合の長さのジルコニウム合金管４５Ｂと、このジルコニウム合金管４５Ｂに溶接したステンレス鋼管４６Ｂとで形成したものである。
【００６０】
この場合、管４４Ｂは、一部だけが高耐食性金属からなるジルコニウム合金管４５Ｂから形成されている。チムニ１１Ｂの一部だけ高耐食性のものにする場合には、図８に示すように、チムニ１１Ｂの下側の炉心７（図２参照）に近い流心側を、ジルコニウム合金管４５Ｂを流速Ｖの割合に適合させて多く使用して形成する。
【００６１】
このように、第３実施形態のチムニ胴１１ｄの炉心側に配置した流心側管１１ｈは、ステンレス鋼管４６Ｂに対して、ジルコニウム合金管４５Ｂの占める割合を多くして配置すると共に、チムニ胴１１ｄの内周側に近接した部位に配置した内周側管１１ｉは、ジルコニウム合金管４５Ｂに対して、ステンレス鋼管４６Ｂの占める割合を多くして配置したことにより、管４４Ｂが、高照射量の中性子で材料が劣化することを、効率的に抑制してコストの低減を図ることができる。
【００６２】
［第４実施形態］
次に、図９、および図１０（ａ）、（ｂ）、（ｃ）を参照して、本発明の第４実施形態に係る自然循環式沸騰水型原子炉１のチムニ１１Ｃを説明する。
図９は、本発明の第４実施形態に係る自然循環式沸騰水型原子炉のチムニの管に使用される金属材料の特性を示す表である。図１０は、本発明の第４実施形態に係る自然循環式沸騰水型原子炉のチムニの管を示す図であり、（ａ）はステンレス鋼管の製造手順を示す工程図、（ｂ）はジルコニウム合金管の製造手順を示す工程図、（ｃ）はステンレス鋼管とジルコニウム合金管との接合部を示す要部拡大断面図である。
なお、図１、図２、および図７に示した第１〜３実施形態に係る自然循環式沸騰水型原子炉１のチムニ１１，１１Ａ，１１Ｂと同一機能を有する部材には同一符号を付し、重複する説明は省略する。
【００６３】
本第３実施形態に係る自然循環式沸騰水型原子炉１のチムニ１１Ｃは、図７に示した第２実施形態の管４４Ａのステンレス鋼管４６Ａと、ジルコニウム合金管４５Ａとを、図１０（ｃ）に示すように、リベット４８で連結してなる管４４Ｃを備えたチムニ１１Ｃとしたものである。
【００６４】
一般に、ステンレス鋼４３Ｂとジルコニウム合金４３Ａとを溶接する際には、図９に示すように、ステンレス鋼４３Ｂには３６８０ＭＰａ、ジルコニウム合金４３Ａには、３４２ＭＰａの熱応力が発生するので、熱量力の差によって、連結部４１Ａに割れが発生することが懸念される。
そこで、図１０（ｃ）に示すように、接合時に熱を発生しない材料からなるリベット４８によって、ジルコニウム合金管４５Ｃとステンレス鋼管４６Ｃとを接合することが好ましい。
【００６５】
なお、チムニ１１Ｃの管４４Ｃは、連結部４１Ａを比較的低温で行うロウ付けや、摩擦溶接、拡散接合といった接合方法も適用することが可能である。
【００６６】
この場合、各管４４Ｃのステンレス鋼管４６Ｃは、図１０（ａ）に示すように、例えば、１枚のステンレス鋼４３Ｂの平板部材を平面視して正方形に折り曲げ加工し、接合部４０Ｂを前記溶接等によって接合して四角管を形成する。
この四角管は、例えば、平板部材を端面から等間隔で直角に折り曲げて、接合部４０Ｂを溶接すれば製作することができる。これは、加工性が悪い高耐食性金属であっても、切削することなく、折り曲げる塑性加工であるため、容易に実施可能である。
【００６７】
一方、ジルコニウム合金管４５Ｃも、図１０（ｂ）に示すように、例えば、１枚のジルコニウム合金４３Ａの平板部材を平面視して正方形に折り曲げ加工し、接合部４０Ａを前記ロウ付け等によって接合して形成する。
このようにして形成されたジルコニウム合金管４５Ｃと、ステンレス鋼管４６Ｃは、図１０（ｃ）に示すように、リベット４８で連結する。
【００６８】
このように、第３実施形態の管４４Ｃは、高耐食性金属からなるジルコニウム合金管４５Ｃと、ステンレス鋼管４６Ｃとをリベット４８で連結することにより、ステンレス鋼４３Ｂとジルコニウム合金４３Ａのように、金属特性が大きく異なる場合であっても、熱応力の発生による連結部４１Ａに割れが発生することを防止することができる。
【００６９】
なお、熱膨張率がステンレス鋼４３Ｂとジルコニウム合金４３Ａの中間程度であるニッケル合金やチタン合金等を中間層としての応力吸収用の中間管（図示せず）を、ジルコニウム合金管４５Ｃと、ステンレス鋼管４６Ｃとの間に介在させば、さらに、熱応力の付加を緩和させることができる。
【００７０】
［第５実施形態］
次に、図１１（ａ）、（ｂ）を参照して、本発明の第５実施形態に係る自然循環式沸騰水型原子炉のチムニを説明する。
図１１は、本発明の第５実施形態に係る自然循環式沸騰水型原子炉のチムニの管を示す図であり、（ａ）は接続部分の部分拡大斜視図、（ｂ）は接続部分の拡大断面図である。
なお、図１および図２に示した第１実施形態に係る自然循環式沸騰水型原子炉１のチムニ１１と同一機能を有する部材には同一符号を付し、重複する説明は省略する。
【００７１】
本第５実施形態に係る自然循環式沸騰水型原子炉１のチムニ１１Ｄは、図１０に示した第４実施形態のリベット４８で接続した連結部４１Ａを、図１１（ａ）、（ｂ）に示すように、接続具４９によって、ジルコニウム合金管４５Ｄと、ステンレス鋼管４６Ｄとを連結したものである。
【００７２】
この場合、管４４Ｄは、図１１（ａ）、（ｂ）に示すうように、胴内流路Ｒ２の一部を構成すると共に、ジルコニウム合金管４５Ｄとステンレス鋼管４６Ｄを連結するための連結部４１Ｂを有する接続具４９が設置される。
【００７３】
なお、本発明は、前記第１〜５実施形態に限定されるものではなく、その技術的思想の範囲内で種々の改造および変更が可能であり、本発明はこれら改造および変更された発明にも及ぶことは勿論である。
【図面の簡単な説明】
【００７４】
【図１】本発明の第１実施形態に係る自然循環式沸騰水型原子炉のチムニの設置状態を示す概略断面図である。
【図２】本発明の第１実施形態に係る自然循環式沸騰水型原子炉のチムニに内設される管を示す図であり、（ａ）は平面図、（ｂ）は斜視図、（ｃ）は胴内流路を流れる冷却材の説明図である。
【図３】本発明の第１実施形態に係る自然循環式沸騰水型原子炉のチムニに照射損傷が発生した場合のチムニ取替作業の工程図である。
【図４】本発明の第１実施形態に係る自然循環式沸騰水型原子炉のチムニの移送手順を示す概略図である。
【図５】本発明の第１実施形態に係る自然循環式沸騰水型原子炉のチムニの解体手順を示す概略図である。
【図６】本発明の第１実施形態に係る自然循環式沸騰水型原子炉のチムニの管の移送手順を示す概略図である。
【図７】本発明の第２実施形態に係る自然循環式沸騰水型原子炉のチムニの管を示す図あり、（ａ）は平面図、（ｂ）は斜視図である。
【図８】本発明の第３実施形態に係る自然循環式沸騰水型原子炉のチムニの管と、水および蒸気の流れを示す説明図である。
【図９】本発明の第４実施形態に係る自然循環式沸騰水型原子炉のチムニの管に使用される金属材料の特性を示す表である。
【図１０】本発明の第４実施形態に係る自然循環式沸騰水型原子炉のチムニの管を示す図であり、（ａ）はステンレス鋼管の製造手順を示す工程図、（ｂ）はジルコニウム合金管の製造手順を示す工程図、（ｃ）はステンレス鋼管とジルコニウム合金管との接合部を示す要部拡大断面図である。
【図１１】本発明の第５実施形態に係る自然循環式沸騰水型原子炉のチムニの管を示す図であり、（ａ）は接続部分の部分拡大斜視図、（ｂ）は接続部分の拡大断面図である。
【符号の説明】
【００７５】
１      自然循環式沸騰水型原子炉(原子炉)
６      原子炉圧力容器
９      ダウンカマ
１１，１１Ａ，１１Ｂ，１１Ｃ，１１Ｄ  チムニ
１１ｂ，４４Ａ，４４Ｂ，４４Ｃ、４４Ｄ  管
１１ｄ  チムニ胴
１１ｈ  流心側管
１１ｉ  内周側管
４０Ａ，４０Ｂ  接合部
４１Ａ，４１Ｂ  連結部
４５Ａ，４５Ｂ，４５Ｃ，４５Ｄ  ジルコニウム合金管
４６Ａ，４６Ｂ，４６Ｃ，４６Ｄ  ステンレス鋼管
Ｌ      隙間
Ｒ      流路
Ｒ１    胴外流路
Ｒ２    胴内流路
Ｒ３    管内流路
Ｒ４    管外流路
【図１】
0004520953.tif 000002
【図２】
0004520953.tif 000003
【図３】
0004520953.tif 000004
【図４】
0004520953.tif 000005
【図５】
0004520953.tif 000006
【図６】
0004520953.tif 000007
【図７】
0004520953.tif 000008
【図８】
0004520953.tif 000009
【図９】
0004520953.tif 000010
【図１０】
0004520953.tif 000011
【図１１】
0004520953.tif 000012